(57)【要約】【目的】電力伝送の効率を落とすことなく情報交換を行うことが可能な給電システムを提供する。【構成】送電コイルを有し、受電コイル及びメモリを有する受電装置との間で、情報パケットの送受信と非接触での電力伝送とを切り替えつつ実行する。電力伝送の設定に関する情報パケットである電力伝送パケットと電力伝送パケット以外の情報パケットである通常パケットとを受電装置との間で送受信する通信手段と、電力伝送パケットが送受信された後、電力伝送を行う送電手段と、を有する。通信手段は、受電装置からメモリのアドレス構成を示すアドレス情報を受信し、アドレス情報に基づいて、メモリ内の第１のメモリ領域を指定するアドレス指定を通常パケットに付与し、メモリ内の第２のメモリ領域を指定するアドレス指定を電力伝送パケットに付与し、アドレス指定を付与した通常情報パケット及び電力伝送パケットを受電装置に送信する。【選択図】図１
2018033254.tif 000002
【特許請求の範囲】
【請求項１】
送電コイルを有し、受電コイル及びメモリを有する受電装置との間で、情報パケットの送受信と非接触での電力伝送とを切り替えつつ実行する送電装置であって、
前記電力伝送の設定に関する情報パケットである電力伝送パケットと前記電力伝送パケット以外の情報パケットである通常パケットとを前記受電装置との間で送受信する通信手段と、
前記電力伝送パケットが送受信された後、前記電力伝送を行う送電手段と、
を有し、
前記通信手段は、
前記受電装置から前記メモリのアドレス構成を示すアドレス情報を受信し、
前記アドレス情報に基づいて、前記メモリ内の第１のメモリ領域を指定するアドレス指定を前記通常パケットに付与し、前記メモリ内の第２のメモリ領域を指定するアドレス指定を前記電力伝送パケットに付与し、
前記アドレス指定を付与した前記通常情報パケット及び前記電力伝送パケットを前記受電装置に送信することを特徴とする送電装置。
【請求項２】
前記アドレス情報は、前記受電装置が前記通常パケットの送受信に使用する前記メモリ内のアドレスの最大値の情報を含み、
前記通信手段は、前記アドレスの最大値の情報に基づいて、前記第１のメモリ領域及び前記第２のメモリ領域を設定することを特徴とする請求項１に記載の送電装置。
【請求項３】
受電コイル及びメモリを有し、送電コイルを有する送電装置との間で、情報パケットの送受信と非接触での電力の受電とを切り替えつつ実行し、受電電力に基づいてバッテリを充電する受電装置であって、
前記送電装置から情報パケットを受信する通信手段と、
前記情報パケットを前記メモリ内のメモリ領域で処理するパケット処理手段と、
前記電力を受電し、前記バッテリを充電する受電手段と、
前記受電コイルと前記通信手段及び前記受電手段との間の接続を切り替える切替手段と、
を有し、
前記通信手段は、前記メモリのアドレス構成を示すアドレス情報を前記送電装置に送信し、
前記パケット処理手段は、前記情報パケットに付与されているアドレス指定に基づいて、前記情報パケットを前記電力の伝送の設定に関する情報パケットである電力伝送パケットと前記電力伝送パケット以外の情報パケットである通常パケットとに峻別し、前記通常パケットを前記メモリ内の第１のメモリ領域で処理し、前記電力伝送パケットを前記メモリ内の第２のメモリ領域で処理する
ことを特徴とする受電装置。
【請求項４】
前記受電電力の電力値に基づいて、前記送電装置からの電力の伝送が中断されたか否かを判定する受電パワー判定手段を備え、
前記切替手段は、前記電力の伝送が中断されたと判定すると、前記受電コイルを前記通信手段に接続することを特徴とする請求項３に記載の受電装置。
【請求項５】
送電コイルを有する送電装置と受電コイル及びメモリを有する受電装置とを含み、前記送電コイルと前記受電コイルとの間で情報パケットの送受信と非接触での電力伝送とを切り替えつつ実行する給電システムであって、
前記送電装置は、
前記情報パケットの送受信を行う送電側通信手段と、
前記電力伝送を行う送電手段と、
を有し、
前記受電装置は、
前記情報パケットの送受信を行う受電側通信手段と、
前記情報パケットを前記メモリ内のメモリ領域で処理するパケット処理手段と、
前記送電装置から受電した電力によってバッテリを充電する受電手段と、
を有し、
前記受電装置の前記受電側通信手段は、前記メモリのアドレス構成を示すアドレス情報を前記送電装置に送信し、
前記送電装置の前記送電側通信手段は、前記アドレス情報に基づいて、前記電力伝送の設定に関する情報パケットである電力伝送パケットに前記メモリ内の第２のメモリ領域を指定するアドレス指定を付与し、前記電力伝送パケット以外の情報パケットである通常パケットに前記メモリ内の第１のメモリ領域を指定するアドレス指定を付与し、
前記受電装置の前記パケット処理手段は、前記受電側通信手段が受信した情報パケットを前記アドレス指定に基づいて前記電力伝送パケットと前記通常パケットとに峻別し、前記通常パケットを前記第１のメモリ領域で処理し、前記電力伝送パケットを前記第２のメモリ領域で処理する
ことを特徴とする給電システム。
【請求項６】
送電コイルと通信手段と送電手段とを有し、受電コイル及びメモリを有する受電装置との間で、情報パケットの送受信と非接触での電力伝送とを切り替えつつ実行する送電装置における送電方法であって、
前記通信手段は、
前記受電装置から前記メモリのアドレス構成を示すアドレス情報を受信するステップと、
前記アドレス情報に基づいて、前記電力伝送の設定に関する情報パケットである電力伝送パケットに前記メモリ内の第２のメモリ領域を指定するアドレス指定を付与し、前記電力伝送パケット以外の情報パケットである通常パケットに前記メモリ内の第１のメモリ領域を指定するアドレス指定を付与するステップと、
前記アドレス指定を付与した前記通常情報パケット及び前記電力伝送パケットを前記受電装置に送信するステップと、
を実行し、
前記送電手段は、前記電力伝送パケットが送受信された後、前記電力伝送を行うステップを実行する
ことを特徴とする送電方法。
【発明の詳細な説明】
【技術分野】
【０００１】
本発明は、送電装置、受電装置、給電システム及び送電方法に関する。
【背景技術】
【０００２】
近年、ＮＦＣ（Near Field Communication）による近距離無線通信が広く用いられている。この近距離無線通信を用いて、非接触に電力供給（電力伝送）を行う給電システムが検討されている。このような給電システムを構成する送電装置及び受電装置は、近距離無線通信による情報伝送手段と非接触型の電力電圧手段とを備え、情報伝送及び電力伝送を行う。
【０００３】
通信品質を保持するため、情報伝送手段及び電力伝送手段は排他的に動作するように構成される。しかし、一方の手段が動作している限り他方の手段が動作を開始しないという形で排他的制御を行うと、情報伝送中に電池の残量がなくなった場合にも充電が直ちには開始しないため、通信機器が安定して動作しなくなるといった事態が生じる。そこで、情報伝送を時分割で行い、無線通信処理を行うＡｃｔｉｖｅ期間以外のＳｌｅｅｐ期間を電力供給の期間に割り当てて、無線通信処理と充電処理との排他的制御を自動的に行う通信機器が考えられた（例えば、特許文献１）。
【先行技術文献】
【特許文献】
【０００４】
【特許文献１】特開２００９−２５３６４９号公報
【発明の概要】
【発明が解決しようとする課題】
【０００５】
受電装置は、送電装置との間で給電制御のための情報交換を行う他、ＰＣとの間で一般的な情報交換を行うことが可能に構成されている。例えば、位置情報を自動的に保存する腕時計を端末装置（受電装置）、ＰＣに接続された装置を充電装置（送電装置）とすると、充電装置による腕時計の充電及びＰＣによる腕時計からの位置情報の吸い出しを行う場合が考えられる。
【０００６】
このような場合、充電を開始した後、しばらくして腕時計内部の位置情報をＰＣに取り込もうとすると、充電を強制的に中止した上で通常の情報交換を行い、その後に改めて認証等を含む充電制御のための情報交換を行ってから充電をやり直す必要があった。このため、電力伝送の効率が落ち、実質的な充電時間が長くなってしまうという問題があった。また、充電制御のための情報交換を行っている間は一般的な情報交換を行うことができないため、一定期間待ってから初期化する必要があり、情報交換の反応時間が長くなってしまうという問題があった。
【０００７】
上記課題を解決するため、本発明は、電力伝送の効率を落とすことなく情報交換を行うことが可能な給電システムを提供することを目的とする。
【課題を解決するための手段】
【０００８】
本発明に係る送電装置は、送電コイルを有し、受電コイル及びメモリを有する受電装置との間で、情報パケットの送受信と非接触での電力伝送とを切り替えつつ実行する送電装置であって、前記電力伝送の設定に関する情報パケットである電力伝送パケットと前記電力伝送パケット以外の情報パケットである通常パケットとを前記受電装置との間で送受信する通信手段と、前記電力伝送パケットが送受信された後、前記電力伝送を行う送電手段と、を有し、前記通信手段は、前記受電装置から前記メモリのアドレス構成を示すアドレス情報を受信し、前記アドレス情報に基づいて、前記メモリ内の第１のメモリ領域を指定するアドレス指定を前記通常パケットに付与し、前記メモリ内の第２のメモリ領域を指定するアドレス指定を前記電力伝送パケットに付与し、前記アドレス指定を付与した前記通常情報パケット及び前記電力伝送パケットを前記受電装置に送信することを特徴とする。
【０００９】
また、本発明に係る受電装置は、受電コイル及びメモリを有し、送電コイルを有する送電装置との間で、情報パケットの送受信と非接触での電力の受電とを切り替えつつ実行し、受電電力に基づいてバッテリを充電する受電装置であって、前記送電装置から情報パケットを受信する通信手段と、前記情報パケットを前記メモリ内のメモリ領域で処理するパケット処理手段と、前記電力を受電し、前記バッテリを充電する受電手段と、前記受電コイルと前記通信手段及び前記受電手段との間の接続を切り替える切替手段と、を有し、前記通信手段は、前記メモリのアドレス構成を示すアドレス情報を前記送電装置に送信し、前記パケット処理手段は、前記情報パケットに付与されているアドレス指定に基づいて、前記情報パケットを前記電力の伝送の設定に関する情報パケットである電力伝送パケットと前記電力伝送パケット以外の情報パケットである通常パケットとに峻別し、前記通常パケットを前記メモリ内の第１のメモリ領域で処理し、前記電力伝送パケットを前記メモリ内の第２のメモリ領域で処理することを特徴とする。
【００１０】
また、本発明に係る給電システムは、送電コイルを有する送電装置と受電コイル及びメモリを有する受電装置とを含み、前記送電コイルと前記受電コイルとの間で情報パケットの送受信と非接触での電力伝送とを切り替えつつ実行する給電システムであって、前記送電装置は、前記情報パケットの送受信を行う送電側通信手段と、前記電力伝送を行う送電手段と、を有し、前記受電装置は、前記情報パケットの送受信を行う受電側通信手段と、前記情報パケットを前記メモリ内のメモリ領域で処理するパケット処理手段と、前記送電装置から受電した電力によってバッテリを充電する受電手段と、を有し、前記受電装置の前記受電側通信手段は、前記メモリのアドレス構成を示すアドレス情報を前記送電装置に送信し、前記送電装置の前記送電側通信手段は、前記アドレス情報に基づいて、前記電力伝送の設定に関する情報パケットである電力伝送パケットに前記メモリ内の第２のメモリ領域を指定するアドレス指定を付与し、前記電力伝送パケット以外の情報パケットである通常パケットに前記メモリ内の第１のメモリ領域を指定するアドレス指定を付与し、前記受電装置の前記パケット処理手段は、前記受電側通信手段が受信した情報パケットを前記アドレス指定に基づいて前記電力伝送パケットと前記通常パケットとに峻別し、前記通常パケットを前記第１のメモリ領域で処理し、前記電力伝送パケットを前記第２のメモリ領域で処理することを特徴とする。
【００１１】
また、本発明に係る送電方法は、送電コイルと通信手段と送電手段とを有し、受電コイル及びメモリを有する受電装置との間で、情報パケットの送受信と非接触での電力伝送とを切り替えつつ実行する送電装置における送電方法であって、前記通信手段は、前記受電装置から前記メモリのアドレス構成を示すアドレス情報を受信するステップと、前記アドレス情報に基づいて、前記電力伝送の設定に関する情報パケットである電力伝送パケットに前記メモリ内の第２のメモリ領域を指定するアドレス指定を付与し、前記電力伝送パケット以外の情報パケットである通常パケットに前記メモリ内の第１のメモリ領域を指定するアドレス指定を付与するステップと、前記アドレス指定を付与した前記通常情報パケット及び前記電力伝送パケットを前記受電装置に送信するステップと、を実行し、前記送電手段は、前記電力伝送パケットが送受信された後、前記電力伝送を行うステップを実行することを特徴とする。
【発明の効果】
【００１２】
本発明によれば、電力伝送の効率を落とすことなく情報交換を行うことが可能となる。
【図面の簡単な説明】
【００１３】
【図１】給電システムの構成を示すブロック図である。
【図２】パケットの構造を示す図である。
【図３】メモリの構造を模式的に示す図である。
【図４】送電装置のＮＦＣ通信モジュールの構成を示すブロック図である。
【図５】電力伝送時の信号の概要を示す図である。
【図６】受電装置のＮＦＣ通信モジュールの構成を示すブロック図である。
【図７】実施例２の受電装置のＮＦＣ通信モジュールの構成を示すブロック図である。
【図８】実施例２において電力伝送を中断して情報パケットの送受信を行う場合の処理動作を示すシーケンス図である。
【発明を実施するための形態】
【００１４】
以下、本発明の実施例について、図面を参照して説明する。なお、以下の各実施例における説明及び添付図面においては、実質的に同一又は等価な部分には同一の参照符号を付している。
【実施例１】
【００１５】
図１は、本発明の給電システム１００の構成を示すブロック図である。給電システム１００は、送電装置１０及び受電装置２０から構成されている。送電装置１０は送電コイルＴＣを有し、受電装置２０は受電コイルＲＣを有する。
【００１６】
送電装置１０及び受電装置２０は、送電コイルＴＣと受電コイルＲＣとの間で、例えば１３．５６ＭＨｚの電磁波を利用して近距離無線通信（以下、ＮＦＣ（Near Field Communication）とも称する）による情報交換を行う。送電装置１０及び受電装置２０は、この情報交換を例えばＮＦＣのパケット規格の１つであるＴｙｐｅ−Ｆのパケットを用いた情報パケットの送受信により行う。
【００１７】
また、送電装置１０及び受電装置２０は、送電コイルＴＣと受電コイルＲＣとの間で、例えば電磁界共振により非接触で送電及び受電を行う。以下の説明では、送電及び受電を総称して電力伝送とも称する。
【００１８】
電力伝送に用いる信号は情報交換に用いる信号に比べて振幅が大きいため、電力伝送を行っている間は情報交換を行うことができない。そこで、送電装置１０及び受電装置２０は、電力伝送と情報交換とを切り替えつつ実行する。
【００１９】
電力伝送は、電力伝送の設定に関する情報パケットの送受信（例えば、受電装置２０におけるバッテリＢＴの状況を示す状況パラメータの送信）とこれに続く短時間の送電及び受電とが複数回繰り返されることによって行われる。以下の説明では、１回毎の送電における送電時間を単位送電時間と称する。なお、単位送電時間は受電装置２０のバッテリＢＴの電圧レベルの変化に応じて異なる値に設定されうる。
【００２０】
送電装置１０は、ＮＦＣ通信モジュール１１、ＮＦＣ送電モジュール１２、切替スイッチ１３及び送電コイルＴＣを有する。
【００２１】
ＮＦＣ通信モジュール１１は、送電装置１０に近接する他の装置（本実施例では受電装置２０）との間で、情報パケットの送受信を行う。ＮＦＣ通信モジュール１１は、電力伝送の設定に関する情報パケット（以下、電力伝送パケットＰＰと称する）の送受信と、電力伝送パケット以外の通常の情報パケット（以下、通常パケットＧＰと称する）の送受信とを行う。
【００２２】
図２は、ＮＦＣ通信モジュール１１が送信する情報パケットの構造を示す図である。「ＬＥＮ」はパケット長、「Ｃｍｄ」（Command Code）はパケットの種類、「ＩＤｍ」は通信の相手方のＩＤを夫々表している。
【００２３】
「Ｂｌｋ＿ｎｏ」は、パケットに入っているブロックの数を示している。１ブロックは１６バイトのデータ量に対応している。「Ｂｌｋ＿Ｄａｔａ」は書き込まれるデータそのものであり、データサイズは「Ｂｌｋ＿ｎｏ」×１６バイトとなるので、１６バイトの倍数となる。
【００２４】
「Ｂｌｋ＿Ｌｉｓｔ」はパケットに入っているブロックデータが、相手方の装置（本実施例では受電装置２０）のメモリに書き込まれる際の、メモリ内の位置（ブロックアドレスと称する）を指定するアドレス指定を示している。
【００２５】
図３は、メモリ及びブロックアドレスを模式的に示す図である。例えば、「Ｂｌｋ＿Ｌｉｓｔ」に「１、５、７」が示されている場合、相手方の装置のメモリ内のブロックアドレス１、ブロックアドレス５及びブロックアドレス７がデータの書き込み位置として指定される。
【００２６】
なお、ブロックアドレス０は、通常の情報パケットを送受信する際に使用されるメモリ内のブロックアドレスの範囲（アドレスの最大値）を示す。例えば、メモリで処理されるデータの最大サイズを２５６バイトとすると、１ブロックが１６バイトであるため、アドレスの最大値は「１６」となる。従って、ブロックアドレス０が示す値は「１６」となり、ブロックアドレス１〜１６までのメモリ領域が通常の情報パケットの送受信に使用される。以下の説明では、ブロックアドレス０が示す値を「アドレス画定値」と称する。
【００２７】
再び図１を参照すると、ＮＦＣ通信モジュール１１は、電力伝送の開始時の認証に用いる認証パケットや、相手方の装置がＮＦＣによる給電に対応しているか否かを確認するための能力確認パケット等を相手方の装置（本実施例では、受電装置２０）との間で送受信する。
【００２８】
また、ＮＦＣ通信モジュール１１は、受電装置２０のバッテリ状況を確認するための状況確認パケットを送信し、これに応じて受電装置２０から送信されたバッテリの状況を示す状況パラメータや、受電装置２０が送電を要求する電力量を示す要求パラメータを受信する。
【００２９】
さらに、ＮＦＣ通信モジュール１１は、受電装置２０に対し、アドレス画定値（すなわち、ブロックナンバー０に示される値）を問い合わせるアドレス範囲要求信号を送信する。そして、ＮＦＣ通信モジュール１１は、受電装置２０からアドレス画定値を示す応答信号を受信する。
【００３０】
図４は、ＮＦＣ通信モジュール１１の構成を示すブロック図である。ＮＦＣ通信モジュール１１は、通信回路３１、パケット処理回路３２、受電モジュール認証回路３３及び送電制御回路３４を有する。
【００３１】
通信回路３１は、通常パケットＧＰ及び電力伝送パケットＰＰの送受信を行う。
【００３２】
パケット処理回路３２は、通常パケットＧＰと電力伝送パケットＰＰとを区別可能とするため、これらに異なるブロックアドレス指定（図２の「Ｂｌｋ＿Ｌｉｓｔ」の数値）を付与する処理を行う。
【００３３】
具体的には、パケット処理回路３２は、受電装置２０から受信したアドレス画定値（すなわち、ブロックアドレス０に示される値）以下のブロックアドレスを示すアドレス指定を通常パケットＧＰに付与し、アドレス画定値よりも大きいブロックアドレスを示すアドレス指定を電力伝送パケットＰＰに付与する。例えば、アドレス画定値が「１６」である場合、ブロックアドレス１〜１６がアドレス指定として通常パケットＧＰに付与される。一方、ブロックアドレス１７以上がアドレス指定として電力伝送パケットＰＰに付与される。以下、通常パケットＧＰを処理するためのメモリ領域（アドレス１〜１６）を第１のメモリ領域、電力伝送パケットＰＰを処理するためのメモリ領域（アドレス１７以上）を第２のメモリ領域と称する。
【００３４】
受電モジュール認証回路３３は、通信回路３１が受信した認証パケットに基づいて、相手方の装置の認証を行う。また、通信回路３１が受信した能力確認パケットに基づいて、相手方の装置がＮＦＣによる給電に対応しているか否かの確認を行う。
【００３５】
送電制御回路３４は、通信回路３１が受信した状況パラメータ及び要求パラメータに基づいて、送電パラメータを設定する。送電パラメータは、例えばＮＦＣ送電モジュール１２が送電を行う単位送電時間（１回あたりの送電時間）及び電力値の情報を含む。送電制御回路３４は、設定した送電パラメータに従って、ＮＦＣ送電モジュール１２に送電を行わせる。なお、ＮＦＣ送電モジュール１２による送電は、送電パラメータに設定された単位送電時間の間行われ、その後状況確認パケット、状況パラメータ及び要求パラメータの送受信を経て新たに送電パラメータが設定される度に、繰り返し実行される。
【００３６】
再び図１を参照すると、ＮＦＣ送電モジュール１２は、送電制御回路３３の制御に従い、送電パラメータに従って送電を行う。
【００３７】
切替スイッチ１３は、受電装置２０との間で情報パケットの送受信を行うか受電装置２０に対して電力伝送を行うかに応じて、送電コイルＴＣに接続されるモジュールをＮＦＣ通信モジュール１１とＮＦＣ送電モジュール１２とに切り替える。
【００３８】
図５は、送電装置１０が送電を行う際に送信する信号の概要を示す図である。ＮＦＣ通信モジュール１１の通信回路３１は、まずポーリングパケットを送受信して周辺の装置に問い合わせを行い、受電装置２０の存在を確認する。そして、ＮＦＣ通信モジュール１１は、受電装置２０との間で認証パケット及び能力確認パケットの送受信を行い、受電装置２０との間で近距離無線通信の接続を確立する（図中、「ＮＦＣＬｉｎｋ確立」として示す）。そして、ＮＦＣ通信モジュール１１は、受電装置２０に状況確認パケットを送信し、受電装置２０から状況パラメータ及び要求パラメータを含む電力伝送パケットＰＰを受信する（図中、「ＷＰＣ」として示す）。ＮＦＣ通信モジュール１１は、状況パラメータ及び要求パラメータに従って送電パラメータを設定し、ＮＦＣ送電モジュール１２は設定された送電パラメータに従って送電を行う（図中、「ＷＰＴ（１）」として示す）。ＮＦＣ送電モジュール１２は、ＮＦＣ通信モジュール１１により状況確認パケット、状況パラメータ及び要求パラメータの送受信が行われる度に、繰り返し送電を行う（図中、「ＷＰＴ（２）」「ＷＰＴ（３）」として示す）。
【００３９】
再び図１を参照すると、受電装置２０は、ＮＦＣ通信モジュール２１、ＮＦＣ受電モジュール２２、切替スイッチ２３、受電コイルＲＣ及びバッテリＢＴを有する。
【００４０】
切替スイッチ２３は、送電装置１０との間で情報パケットの送受信を行うか送電装置１０から送電された電力を受電するかに応じて、受電コイルＲＣに接続されるモジュールをＮＦＣ通信モジュール２１とＮＦＣ受電モジュール２２とに切り替える。
【００４１】
ＮＦＣ通信モジュール２１は、受電装置２０に近接する他の装置（本実施例では送電装置１０）との間で、情報パケットの送受信を行う。ＮＦＣ通信モジュール２１は、通常パケットＧＰの送受信を行うほか、電力伝送パケットＰＰの送受信を行う。
【００４２】
図６は、ＮＦＣ通信モジュール２１の構成を示すブロック図である。ＮＦＣ通信モジュール２１は、通信回路４１、ブロックアドレス判定回路４２、通常パケット処理モジュール４３、電力伝送パケット処理モジュール４４及びメモリ４５を含む。
【００４３】
通信回路４１は、通常パケットＧＰ及び電力伝送パケットＰＰの送受信を行う。
【００４４】
ブロックアドレス判定回路４２は、送電装置１０から送信された情報パケットに付与されているアドレス指定（ブロックアドレス）に基づいて、当該情報パケットが通常パケットＧＰか電力伝送パケットＰＰかを判定し、判定結果に基づいて当該情報パケットを通常情報パケット処理モジュール４３又は電力伝送パケット処理モジュール４４に供給する。すなわち、ブロックアドレス判定回路４２は、付与されているアドレス指定がアドレス画定値よりも小さい場合は通常パケットＧＰであると判定し、情報パケットを通常情報パケット処理モジュール４３に供給する。一方、付与されているアドレス指定がアドレス画定値よりも大きい場合は電力伝送パケットＰＰであると判定し、情報パケットを電力伝送パケット処理モジュール４４に供給する。
【００４５】
通常情報パケット処理モジュール４３は、メモリ４５内の第１のメモリ領域（すなわち、アドレス画定値よりも小さいブロックアドレスの領域）を用いて、通常パケットＧＰを処理する。例えば、アドレス画定値が「１６」である場合、図３に「ＧＰ」として示されるブロックアドレス１〜１６が第１のメモリ領域となる。
【００４６】
電力伝送パケット処理モジュール４４は、メモリ４５内の第２のメモリ領域（すなわち、アドレス画定値よりも大きいブロックアドレスの領域）を用いて、電力伝送パケットＰＰを処理する。例えば、アドレス画定値が「１６」である場合、図３に「ＰＰ」として示されるブロックアドレス１７以上の領域が第２のメモリ領域となる。
【００４７】
以上のように、本実施例の送電装置１０は、受電装置２０内のメモリ４５におけるアドレス画定値（ブロックアドレス０に示される値）に基づいて、通常パケットＧＰと電力伝送パケットＰＰとに異なるメモリ領域を指定するアドレス指定を付与し、情報パケットの送受信を行う。
【００４８】
従って、受電装置２０は、送電装置１０から送信された情報パケットを受信した時点で、その情報パケットが通常パケットＧＰなのか電力伝送パケットＰＰなのかを判別することができる。従って、簡易な構成で情報パケットの分離を行うことができる。
【００４９】
また、本実施例の給電システム１００では、通常の情報パケットの送受信に用いるメモリ内のアドレスの最大値（例えば「１６」）を示すアドレス画定値を用いて、第１のメモリ領域及び第２のメモリ領域を設定する。従って、本実施例の電力伝送に対応していない一般的な近距離無線通信装置が本発明の送電装置１０及び受電装置２０にアクセスする場合であっても、アドレス画定値の制限を受けるため、誤って電力伝送パケットＰＰを送受信することはない。
【００５０】
また、通常パケットＧＰと電力伝送パケットＰＰとを受電装置２０において区別することができるため、電力伝送パケットＰＰの送受信を行っている途中に通常パケットＧＰが挿入された場合であっても、電力伝送のシーケンスに影響を与えることなく通常パケットＧＰ及び電力伝送パケットＰＰを処理することが可能である。従って、これらの情報パケットの処理に要する時間を除き、電力伝送を継続することができる。
【００５１】
よって、本実施例の給電システム１００によれば、電力伝送の効率を落とすことなく情報交換を行うことが可能となる。
【実施例２】
【００５２】
本実施例の給電システムは、受電装置２０のＮＦＣ通信モジュール２１の構成において、実施例１の給電システム１００と異なる。
【００５３】
図７は、本実施例のＮＦＣ通信モジュール２１の構成を示すブロック図である。本実施例のＮＦＣ通信モジュール２１は、実施例１のＮＦＣ通信モジュール２１と同様の構成（通信回路４１、ブロックアドレス判定回路４２、通常パケット処理モジュール４３、電力伝送パケット処理モジュール４４及びメモリ４５）に加えて、受電パワー判定回路４６を含む。
【００５４】
受電パワー判定回路４６は、ＮＦＣ受電モジュール２２が受電した電力の電力レベルを判定し、判定結果に基づいて、送電装置１０が送電を実行中（すなわち、電力伝送を継続中）であるか、送電を行っていない（すなわち、電力伝送を中断している）状態であるかを判定する。例えば、受電パワー判定回路４６は、受電した電力の電力レベルが所定の電圧閾値未満である場合、電力伝送が行われていないと判定する。受電パワー判定回路４６は、電力伝送が行われていないと判定すると、その判定結果を切替スイッチ２３に供給する。切替スイッチ２３は、これに応じて受電コイルＲＣに接続されるモジュールをＮＦＣ通信モジュール２１に切り替える。これにより、受電装置２０は、電力を受電する状態（受電モード）から情報パケットの送受信を行う状態（通信モード）に切り替わる。
【００５５】
次に、送電装置１０が送電を中断して通常パケットＧＰの送信を行う場合の、送電装置１０及び受電装置２０の処理動作について図８のシーケンス図を参照して説明する。
【００５６】
送電装置１０は、送電を中断する（ステップＳ１０１）。受電装置２０の受電パワー判定回路４６は、ＮＦＣ受電モジュール２２が受電した電力の電力レベルが電圧閾値未満であると判定する（ステップＳ１０２）。切替スイッチ２３は、受電コイルＲＣの接続先をＮＦＣ受電モジュール２２からＮＦＣ通信モジュールへと切り替える（ステップＳ１０３）。
【００５７】
送電装置１０のＮＦＣ通信モジュール１１は、アドレス画定値以下のブロックアドレスを示すアドレス指定を付与した通常パケットＧＰを送信する（ステップＳ１０４）。受電装置２０のＮＦＣ通信モジュール２１は、これを受信する。ブロックアドレス判定回路４２は、受信した情報パケットに付与されているアドレス指定に基づいて、通常パケットＧＰであると判定する（ステップＳ１０５）。通常パケット処理モジュール４３は、メモリ４５内の第１のメモリ領域（アドレス画定値以下のブロックアドレスの領域）を用いて通常パケットＧＰを処理する（ステップＳ１０６）。
【００５８】
必要な通常パケットＧＰの送信（又は受信）が終了すると、送電装置１０は、電力伝送パケットＰＰを送信する（ステップＳ１０７）。受電装置２０のＮＦＣ通信モジュール２１は、これを受信する。ブロックアドレス判定回路４２は、受信した情報パケットに付与されているアドレス指定に基づいて、電力伝送パケットＰＰであると判定する（ステップＳ１０８）。電力伝送パケット処理モジュール４４は、メモリ４５の第２のメモリ領域（アドレス画定値より大きいブロックアドレスの領域）を用いて電力伝送パケットＰＰを処理する（ステップＳ１０９）。
【００５９】
送電装置１０は、受電装置１０のバッテリ状況を確認するための状況確認パケットを送信する（ステップＳ１１０）。受電装置２０は、送電装置１０から送信された状況確認パケットに応じて、状況パラメータ及び要求パラメータを送信する（ステップＳ１１１）。
【００６０】
送電装置１０は、状況パラメータ及び要求パラメータを受信し、これらに基づいて送電パラメータを設定する（ステップＳ１１２）。送電装置１０は、設定した送電パラメータに従って、電力を伝送する。受電装置２０は、電力を受電してバッテリＢＴを充電する（ステップＳ１１３）。
【００６１】
以上のように、本実施例の給電システム１００によれば、電力伝送の中断後、すぐに受電装置２０が情報パケットの送受信を行う状態に移行するため、送電装置１０及び受電装置２０は速やかに情報パケットの送受信を開始することができる。特に、電力伝送の途中に通常パケットＧＰの送受信を行うことが必要となった場合、電力伝送の１周期（単位送電時間の送電）が終了するのを待たずに通常パケットＧＰの送受信を行うことが可能となる。
【００６２】
なお、本発明は上記実施形態に限定されない。例えば、上記実施例では、電磁界共振により電力伝送を行う例について説明した。しかし、電力伝送の方式はこれに限られず、電磁誘導方式等の他の方式により電力伝送を行うものであっても良い。
【００６３】
また、上記実施例では、ＮＦＣのパケット規格の１つであるＴｙｐｅ−Ｆのパケットを用いて情報パケットの送受信を行い、情報パケットの構造が図２に示すような構造である例について説明した。しかし、他のＮＦＣの通信規格に従って情報パケットの送受信を行うものであっても良く、情報パケットの構造も図２に示したものに限られない。本発明は、受電装置におけるメモリ内のアドレス構造に基づいて、情報パケットにアドレス指定を付与することが可能な他の通信方式にも適用することが可能である。
【符号の説明】
【００６４】
１０  送電装置
１１  ＮＦＣ通信モジュール
１２  ＮＦＣ送電モジュール
１３  切替スイッチ
２０  受電装置
２１  ＮＦＣ通信モジュール
２２  ＮＦＣ受電モジュール
２３  切替スイッチ
３１  通信回路
３２  パケット処理回路
３３  受電モジュール認証回路
３４  送電制御回路
４１  通信回路
４２  ブロックアドレス判定回路
４３  通常情報パケット処理モジュール
４４  電力伝送パケット処理モジュール
４５  メモリ
４６  受電パワー判定回路
【図１】
2018033254.tif 000003
【図２】
2018033254.tif 000004
【図３】
2018033254.tif 000005
【図４】
2018033254.tif 000006
【図５】
2018033254.tif 000007
【図６】
2018033254.tif 000008
【図７】
2018033254.tif 000009
【図８】
2018033254.tif 000010